(57)【要約】【課題】  本発明は、カップル等が自らデザインを考え、一つしかないオリジナルな指輪あるいはジュエリーをセルフ製作体験できるオリジナル指輪あるいはジュエリーのセルフ製作体験システムを提供することを目的とするものである。【解決手段】  本発明は、オリジナル指輪あるいは装身具のセルフ体験製作システムであり、セルフ製作体験をユーザが申し込む申込手段と申し込みを受け付ける手段と日程調整する手段とセルフ製作体験を行う手段とを備え、セルフ製作体験を行う手段は、デザイン素画を描写する描写部とデザイン素画を確定するデザイン画確定部と製作日数を算出する算出部と練習製作を行わせる練習製作部と製作日数変更部とデザイン画に変更を加えるデザイン画変更部とアドバイス部とスタッフが制作に加わる制作加入部と、を有することを特徴とする。【選択図】        図１
2006031639.tif 000002
【特許請求の範囲】
【請求項１】
インターネットＨＰ、ｅメール、携帯メール、電話、郵便、口頭によりオリジナル指輪あるいは装身具のセルフ製作体験をユーザが申し込む申込手段と、
前記ユーザからの申し込みを受け付ける手段と、
受け付けられた申し込みを日程調整する手段と、
調整された日程によりセルフ製作体験を行う手段と、
を備え、
前記セルフ製作体験を行う手段は、
ユーザ自らが希望するオリジナル指輪あるいは装身具のデザインを案出してデザイン素画を描写する描写部と、
描写されたデザイン素画をコンピュータに取り込み、前記デザイン素画をオリジナル指輪あるいは装身具製作用の図面に確定するデザイン画確定部と、
確定されたデザイン画によりセルフ製作体験の製作日数を算出する算出部と、
前記セルフ制作体験の前に前記ユーザに対し一般的指輪製作の練習製作を行わせる練習製作部と、
前記練習制作部での結果により前記算出部で算出された製作日数に変更を加える製作日数変更部と、
前記練習制作部での結果により前記デザイン画に変更を加えるデザイン画変更部と、
ユーザのセルフ制作体験中にスタッフがアドバイスを行うアドバイス部と、
ユーザのセルフ制作体験中にスタッフが制作に加わる制作加入部と、
を有することを特徴とするオリジナル指輪あるいは装身具のセルフ体験製作システム。
【発明の詳細な説明】
【技術分野】
【０００１】
本発明は、例えば結婚式を行うカップルが自らデザインを考え、そのデザインに沿ったオリジナルな指輪あるいはジュエリーをセルフ製作体験するオリジナル指輪あるいはジュエリーのセルフ製作体験システムに関するものである。
【背景技術】
【０００２】
例えば、指輪の製作システムとしては特開２００４−１５９８７２号公報に記載された発明が一般に知られている。
しかしながら、かかる発明は、決してユーザ自らがオリジナル指輪あるいはジュエリーを体験的に製作するものではなかった。
【特許文献１】特開２００４−１５９８７２号公報
【発明の開示】
【発明が解決しようとする課題】
【０００３】
本発明は、例えば結婚式を挙行するカップル等が自らデザインを考え、そのデザインに沿った一つしかないオリジナルな指輪あるいはジュエリーを自らがセルフ製作体験できるオリジナル指輪あるいはジュエリーのセルフ製作体験システムを提供することを目的とするものである。
【課題を解決するための手段】
【０００４】
本発明によるオリジナル指輪あるいは装身具のセルフ体験製作システムは、
インターネットＨＰ、ｅメール、携帯メール、電話、郵便、口頭によりオリジナル指輪あるいは装身具のセルフ製作体験をユーザが申し込む申込手段１と、
前記ユーザからの申し込みを受け付ける手段２と、
受け付けられた申し込みを日程調整する手段３と、
調整された日程によりセルフ製作体験を行う手段４と、
を備え、
前記セルフ製作体験を行う手段４は、
ユーザ自らが希望するオリジナル指輪あるいは装身具のデザインを案出してデザイン素画を描写する描写部６と、
描写されたデザイン素画をコンピュータ５に取り込み、前記デザイン素画をオリジナル指輪あるいは装身具製作用の図面に確定するデザイン画確定部７と、
確定されたデザイン画によりセルフ製作体験の製作日数を算出する算出部８と、
前記セルフ制作体験の前に前記ユーザに対し一般的指輪製作の練習製作を行わせる練習製作部９と、
前記練習制作部９での結果により前記算出部８で算出された製作日数に変更を加える製作日数変更部１０と、
前記練習制作部９での結果により前記デザイン画に変更を加えるデザイン画変更部１１と、
ユーザのセルフ制作体験中にスタッフがアドバイスを行うアドバイス部１２と、
ユーザのセルフ制作体験中にスタッフが制作に加わる制作加入部１３と、
を有することを特徴とするものである。
【発明の効果】
【０００５】
本発明によれば、例えば結婚式を挙行するカップルが自らデザインを考え、そのデザインに沿った一つしかないオリジナルな指輪あるいはジュエリーを自らがセルフ製作体験できるとの優れた効果を奏する。
【発明を実施するための最良の形態】
【０００６】
以下本発明を図に示す実施例に基づき説明する。
【０００７】
まず、本発明のシステムは、インターネット上のＨＰ、ｅメール、携帯メール、電話、郵便、口頭によりオリジナル指輪あるいは装身具のセルフ製作体験をユーザが申し込む申込手段１と、前記ユーザからの申し込みを受け付ける手段２と、受け付けられた申し込みを日程調整する手段３と、調整された日程により実際にセルフ製作体験を行う手段４とにより構成される。
【０００８】
ここで、前記申込手段１はインターネット上のＨＰ、ｅメール、携帯メールを介して行われ、申し込まれた内容はスタッフ側のサーバコンピュータ５で受け付けられて記憶され、保存される。
【０００９】
サーバコンピュータ５は図４から理解されるように、通信回線１９を介してユーザ側のコンピュータあるいは携帯電話からの受信を受け付ける送受信部２０、ＣＰＵなどで構成される制御部２１、ハードディスクなどで構成される記憶部２２及び液晶ディスプレイ等で構成される表示部２３を有して構成されている。
【００１０】
ここで、図３に示したデザイン画確定部７，算出部８，制作日数変更部１０及びデザイン画変更部１１はサーバコンピュータ５の制御部により行われる。
【００１１】
尚、電話や郵便、口頭でも申込が受け付けられるが、当該申込にあってはスタッフ側においてサーバコンピュータ５に入力することになる。
前記のようにして受け付けられた申込は前記サーバコンピュータ５内で管理され整理されて、オリジナル制作体験の日程調整がなされる。
【００１２】
そして、調整された日程は主にインターネットによるｅメールあるいは携帯メールによりユーザ側に打診される。
【００１３】
しかして、前記の応答を繰り返した後に最終的にオリジナル制作体験日程が確定する。この確定したオリジナル制作体験日程に基づきオリジナル制作体験手段４によりオリジナル指輪あるいは装身具のオリジナル制作体験が実施される。
【００１４】
前記の確定したオリジナル制作体験日程に基づき、その初日にはユーザは自己が欲するオリジナル指輪あるいは装身具のデザイン素画が描画される。この描画は一般にフリーハンドによって描画されるのが通常である。
【００１５】
また、前記のデザイン素画は、予めユーザが描画していたものを持ち込んでも構わない。
【００１６】
ユーザにより案出された前記デザイン素画はサーバコンピュータ５に取り込まれ、デザイン画確定部７によりオリジナル指輪あるいは装身具製作用の図面として確定される。
【００１７】
そして、この確定したオリジナル指輪あるいは装身具製作用のデザイン画により、セルフ制作体験の制作日数が算出部８により算出されることとなる。
【００１８】
サーバコンピュータ５にはオリジナル指輪あるいは装身具のセルフ製作体験により制作されたオリジナル指輪あるいは装身具に関する過去のデータが記憶部２２内に大量に保存されており、このデータを基礎として、前記デザイン画についての制作日数が算出されるのである。
【００１９】
ところで、オリジナル制作体験日程の初日は、また指輪あるいは装身具の製作練習日に当てられることにもなる。
【００２０】
すなわち、ユーザがオリジナル指輪等の本格的な制作体験に入る前に、制作練習を行うのである。
【００２１】
製作する指輪は、例えば月形甲丸のサイズ１乃至７までと、ほぼ実際に製作する指輪とほぼ同じもので行われる。
【００２２】
まず、円筒状をなすハードワックスが用意される。尚、ペンダント、ネックレス等装身具の場合は方形状をなしたブロックワックスが用意される。
【００２３】
ここで、ワックスとは、ろうの一種をいい、多くのワックスはパラフィンを主成分としている。
【００２４】
当該ワックスを加工して、いろいろな指輪、ジュエリーの原型を作り、鋳造し、仕上げて製品化する。
【００２５】
ワックスによる原型作りは特に立体的な製品やボリュームのある製品、曲線的なデザインの製品、テクスチャーに特徴がある製品などを作るのに効果的となる。
【００２６】
すなわち、硬い貴金属を直接加工することでは得られない自由な表現が、ワックス加工法で比較的簡単にできるものとなる。
【００２７】
ワックスにはいろいろな種類があるが、もっとも多く使われるのは、チューブ・ワックス、ブロックワックス、シートワックス、ワイヤー・ワックスなどである。
【００２８】
チューブ・ワックスやブロック・ワックスは、糸ノコやヤスリで加工できるように硬めに作られている。この2種類をハード・ワックスと呼んでいる。
【００２９】
また、ハサミやカッターで切って使えるシートワックスやワイヤー・ワックスをソフトワックスと称している。
【００３０】
しかして、ハードワックスは指輪のサイズに切断される。そして、内側が切削されて、指のサイズにあわされる。
【００３１】
各種あるサンプルから指輪のデザイン画を選択して、そのデザイン画を基に制作練習が行われる。
【００３２】
各種の工具を用い、前記の指輪のサイズにカットされたハードワックス上に刻み、あるいは切削してデザインをつける。
【００３３】
この制作練習で、ユーザは実際に指輪を制作する難易度が感知でき、当初のデザイン素画通りの指輪あるいは装身具の制作をあきらめ、自分たちで制作できる程度の難易度による指輪制作に移行することもある。
【００３４】
このように練習制作部９での結果により制作日数変更部１０により制作日数が変更されたり、デザイン画変更部１１により希望のデザインが変更されたりする。
【００３５】
前記の練習製作工程を経た後にユーザは本格的なオリジナル指輪あるいは装身具製作に取りかかる。
通常、オリジナル指輪あるいは装身具製作には前記の制作練習を含めて２日乃至３日の日数が必要とされる。しかし、どうしても仕事等により都合がつかないユーザについては１日のみの体験製作となる場合もある。
【００３６】
本格的な制作体験の中において、最後まで希望デザインのものと同等のものを製作する場合もあれば、途中で工具のスパチュラや彫刻刀、キサゲ、ピンバイス、きべら、スプリングゲージ、リューター等を使い、ユーザ自らデザインを変更して製作する場合もある。
【００３７】
さらに、スタッフが制作中にアドバイスをしたり（アドバイス部１２）、制作に加入したりすることもある（制作加入部１３）。
【００３８】
また、ユーザの希望により指輪ではなく、ネックレストップやピアス，バングル等を体験製作することも出来、この場合も上記と同じような製作工程が採用されている。尚、希望により裏抜き（軽量化）等をする場合もある。
【００３９】
上記の制作練習と同様に、円筒状をなすハードワックスが用意される。ペンダント、ネックレス等装身具の場合は方形状をなしたブロックワックスが用意される。
【００４０】
ハードワックスは指輪のサイズに切断される（図５、図６参照）。そして、内側が切削されて、指のサイズにあわされる。
【００４１】
そして、ユーザが案出したデザイン画を基に制作体験が行われる。各種の工具を用い、前記の指輪のサイズにカットされたハードワックス上に刻み、あるいは切削して希望のデザインがつけられる（図７、図８参照）。
【００４２】
体験製作中は、例えばデジタルカメラで、ユーザの制作体験風景が撮影される。ユーザにとってはこれも思い出深き記念撮影となるからである。
【００４３】
完成後には、さらにスタッフが制作体験したユーザと制作体験で完成した指輪（金型用のもの）をデジタルカメラで写真撮影をする（図８参照）。
【００４４】
尚、前記指輪（金型用のもの）完成後、スタッフによって修正と仕上げが行われる場合がある（制作加入部１３）。
【００４５】
ここで、前記指輪（金型用のもの）に基づく地金への吹き上げは業者に委託される。吹き上げ後、完成した指輪を受取り、リュ一ターを使い、スタッフによって指輪磨き（制作加入部１３）が行われる（図９，図１０参照）。
【００４６】
ユーザには、受け渡し日、料金の連絡並びにフラワーアレンジメントによる梱包の受注確認を行う。
【００４７】
フラワーアレンジメントとして受注された場合は、その梱包が行われる。
【００４８】
ところで、指輪やピアス、バングル等アクセサリーの制作体験において、ハードワックス（チューブワックスやブロックワックス等）で製作するのが、困難な場合がある。
【００４９】
このような場合には、ソフトワックス（シートワックス、ワイヤーワックス、蜜蝋等）やいろいろな種類のワックスが使用出来、ユーザが希望するデザイン通りに制作体験する場合もある。その場合は、工具としてアルコールランプやワックスペン等も使用する。
【００５０】
次にシルバーリングの制作体験についての一実施例を説明すると、スタッフがユーザに対し、簡単な行程の説明や指輪、ネックレストップの説明を行う。
【００５１】
次いで、ユーザが指輪をつける指を決め、リングゲージを使用し、その指のサイズを計る。
【００５２】
そして、指輪ネックレストップに使うシルバーの板を、いくつかの種類の中から幅、デザインの有無等を含めて選択する。
【００５３】
用意されている用紙に名前、リング、サイズ、指輪の幅、デザイン有無を書く。
【００５４】
まず、打刻の練習を行う。
【００５５】
すなわち、刻印と金づちを使って、デザイン等を銅版に打刻する。打刻していくと板が曲がってくる。すると、打刻しにくくなってくるので、木づちを使い木の上で板をたたき平らにする。さらに打刻する。
【００５６】
ところで、スタッフは指輪のサイズから板の長さを確認し、シルバーの板を糸ノコ，ニッパー等を使い切断し用意しておく。
【００５７】
そして、スタッフはサインペンなどで、ユーザの名前を書いておく。
【００５８】
バーナー等を使いシルバー板に直接火をあて温め、なましておく。なましたら、水に入れて冷やし水を拭き取り、ユーザに渡す。
【００５９】
いよいよ、打刻本番、すなわち制作体験となる。
【００６０】
スタッフから渡されたシルバーの板に、刻印と金づちを使い、ユーザが欲するデザイン等を打刻していく。
【００６１】
この間、デジタルカメラなどで制作体験中の撮影を行い、例えばパソコンにつないだプリンターにて写真を出力しておく。
【００６２】
スタッフは、ユーザがデザイン等を打ち終わったらそれを回収し、打刻により伸びた部分を金属ヤスリなどを使い、削っておく。
【００６３】
そして、シルバーの板を芯金に巻き付けるようにし、両端から木づちで叩きながら曲げ、リング状にしていき、両端を合わせる。
【００６４】
次に、溶接につき説明する。例えばカップルのユーザの場合、その一つを使って、溶接の見本を見せる。
【００６５】
スタッフは、シルバーを逆ピンセットでもち、あわせ目にフラックスを塗り、銀ろうを置きバーナー等で熱して、ろうづけをする。ろうづけが出来たら、水につけて冷す。
【００６６】
その後すぐに硫酸につけ２〜３分放置する。
硫酸からピンセットで取り出し水で流し、合わせ目のろうづけした部分を、重層を使い洗う。さらに、リューターを使い、合わせ目の余分な銀ろうを削り、指輪の内側の角を削り面取りする。
【００６７】
サイズ合わせは、サイズ棒を指輪に入れて、指輪を木づちでたたき、希望サイズにしていく。合わせ目等のデザインを確認し、足りない場合はサイズ棒を入れたまま、打刻する。
【００６８】
リングのサイズ，ゆがみを確認し金づち，木づちを使い，直していく。
【００６９】
その後、磨き、仕上げを行う。
【００７０】
リューターを使い、指輪、ネックレストップの外側の角を削り面取りをする。サイドペーパーで指輪、ネックレストップの外側の角を削り面取りをする。リューターを使い、指輪、ネックレストップの面取りした所以外の部分（内側，横，表面）を磨く。リューターを使い、指輸、ネックレストップの全体を磨き、仕上げをする。
【００７１】
洗浄機に入れ５分くらいまち、タオルで拭き、出来上がりとなる。
【００７２】
ここで、工具についても説明する。
（ワックス用糸ノコ刃）
ハード・ワックスを切る時に使う専用のノコ刃である。金属用ノコ・フレームにセットして使う。金属用のノコ刃と違い、刃が螺旋状にねじってあるのがこのノコ刃の特長で、そのためいくら使っても目づまりしない。
（ワックス用ヤスリ）
ハード・ワックスを荒削りする時に使うワックス加工専用の工具で、ヤスリ目が金属用ヤスリに比べて荒くなっている。
（スパチュラー）
ハードワックスを彫ったり判ったり、また、テクスチャー（表面処理〉をつける時などに使う。アルコール・ランプで先瑞を温めて、ハード・ワックスやソフトワックスを盛りつける場合や、溶けた感じのテクスチャーを施こす場合にも使用される。いろいろな形状のものがある。
（ワックス・ペン）
温度調整のついた小型の電熱式の器具。ペン先の先端でワックスを溶かしたり盛ったり、テクスチャーをつける時に使う。スパチュラーと違い電熱式であり、温度を一定にして使える。
（スプリング・ゲージ）
厚みを計るときに使う工具で、凹凸部分の厚みも計れるようになっている。ハード・ワックスで原型を作るときは、裏抜きをする場合がほとんどであるが、そのときは厚くなりすぎないようにスプリング・ゲージで計りながら作業を行う。
【図面の簡単な説明】
【００７３】
【図１】ユーザとスタッフとの受付状態を説明する説明図である。
【図２】本発明の概略説明図である。
【図３】制作体験手段の構成説明図である。
【図４】サーバコンピュータの構成説明図である。
【図５】指輪の制作途中の状態を説明する説明図（その１）である。
【図６】指輪の制作途中の状態を説明する説明図（その２）である。
【図７】指輪の制作途中の状態を説明する説明図（その３）である。
【図８】指輪の制作途中の状態を説明する説明図（その４）である。
【図９】完成した指輪の説明図である。
【図１０】完成した指輪の装着状態説明図である。
【符号の説明】
【００７４】
１    申込手段
２    受付手段
３    調整手段
４    体験手段
５    サーバコンピュータ
６    描画部
７    デザイン画確定部
８    算出部
９    練習作成部
１０  制作日数変更部
１１  デザイン画変更部
１２  アドバイス部
１３  制作加入部
【図１】
2006031639.tif 000003
【図２】
2006031639.tif 000004
【図３】
2006031639.tif 000005
【図４】
2006031639.tif 000006
【図５】
2006031639.tif 000007
【図６】
2006031639.tif 000008
【図７】
2006031639.tif 000009
【図８】
2006031639.tif 000010
【図９】
2006031639.tif 000011
【図１０】
2006031639.tif 000012